(57)【要約】【課題】  所定のプログラム領域やリードイン領域の位置を検出して、所望する信号を確実に読み取れるディスク再生装置を提供する。【解決手段】  ミニディスク１をピット信号部、グルーブ信号部、ウォブル信号部の記録領域に対応した回転数で再生するＭＤ記録再生装置１０であって、ミニディスク１にピット信号、グルーブ信号、ウォブル信号に対応する電気信号に変換して出力するピックアップ３と、トラッキングエラー信号によりトラックを追従するトラッキング制御手段８ａと、トラックを追従して情報を再生するキック手段８ｂ及びサーチ手段８ｃと、ミニディスク１の回転数の増減を検出するディスク回転数検出手段８ｄと、ディスク回転数検出手段８ｄにより所定領域にピックアップ３が位置しているか否かを判別する所定領域位置判別手段８ｅとを備えるものとする。【選択図】  図１
2005166143.tif 000002
【特許請求の範囲】
【請求項１】
記録領域に複数の情報が記録された記録媒体を回転させて、記録情報検出手段により予め設定されたそれぞれの記録領域に対応した回転数で記録情報を検出し、所定の記録領域より所定の記録情報を検出して、該記録情報に対応する電気信号に変換して再生する記録情報再生方法において、
前記記録情報検出手段を移動させて、移動した位置の記録領域に対応する記録媒体の回転数を検出し、その検出結果により前記記録情報検出手段が所定の記録領域に位置しているか否かを判別することを特徴とする記録情報再生方法。
【請求項２】
前記記録情報検出手段が所定の記録領域に位置しているか否かの判別は、検出された記録媒体の回転数の増減により判定することを特徴とする請求項１に記載の記録情報再生方法。
【請求項３】
前記記録情報検出手段が所定の記録領域に位置しているか否かの判別は、検出された記録媒体の回転数と所定の記録領域の基準回転数とを比較した結果により判別することを特徴とする請求項１に記載の記録情報再生方法。
【請求項４】
前記記録領域には、記録媒体に関する情報が記録されたピット信号部を有するリードイン領域と、メイン情報が記録されたグルーブ信号部と記録された情報の位置に対応するアドレス情報が記録されたウォブル信号部とを有するプログラム領域とが形成されたことを特徴とする請求項１乃至３のうちの何れか一項に記載の記録情報再生方法。
【請求項５】
記録領域に複数の情報が記録された記録媒体を回転させる回転手段と、予め設定されたそれぞれの記録領域に対応した回転数で記録情報を検出する記録情報検出手段とを備え、所定の記録領域より所定の記録情報を検出して、該記録情報に対応する電気信号に変換して再生する記録情報再生装置において、
前記記録媒体の回転数を検出する記録媒体回転数検出手段と、
前記記録媒体回転数検出手段の検出結果により所定の記録領域に前記情報検出手段が位置しているか否かを判別する所定領域位置判別手段とを備えたことを特徴とする記録情報再生装置。
【請求項６】
前記所定領域位置判別手段は、前記記録媒体回転数検出手段により検出された記録媒体の回転数の増減により判別することを特徴とする請求項５に記載の記録情報再生装置。
【請求項７】
前記所定領域位置判別手段は、前記記録媒体回転数検出手段により検出された記録媒体の回転数と所定の記録領域の基準回転数とを比較した結果により判別することを特徴とする請求項５に記載の記録情報再生装置。
【請求項８】
前記記録領域には、表面に情報が記録されるトラックが形成され、記録媒体に関する情報が記録されたピット信号部を有するリードイン領域と、メイン情報が記録されたグルーブ信号部と前記メイン情報の位置に対応するアドレス情報が記録されたウォブル信号部とを有するプログラム領域とが形成されたことを特徴とする請求項５乃至７のうちの何れか一項に記載の記録情報再生装置。
【請求項９】
前記記録情報再生装置は、前記記録情報検出手段として、記録媒体に照射したビームの戻り光をピット信号、グルーブ信号およびウォブル信号にそれぞれ対応する電気信号に変換して出力するピックアップを備え、さらに、前記ピックアップからのトラッキングエラー信号よりトラックを追従するトラッキング制御手段と、前記トラッキング制御手段によりトラックを飛び越すキック手段と、トラックを追従して記録された情報を再生するサーチ手段とを備えたことを特徴とする請求項８に記載の記録情報再生装置。
【請求項１０】
前記記録媒体には、情報が記録されるトラックが形成された記録領域より回転中心方向に向かい内側に情報が記録されていないブランク部が形成され、
前記ピックアップが前記ブランク部内への移動を制限するピックアップ移動制御手段を備えたことを特徴とする請求項９に記載の記録情報再生装置。
【発明の詳細な説明】
【技術分野】
【０００１】
本発明は、ピックアップによりディスク等の記録媒体に記録された情報を読み取って再生する記録情報再生方法および記録情報再生装置に関するものである。
【背景技術】
【０００２】
一般に、光磁気ディスクの情報を記録再生する光学式再生装置においては、例えばディスクのプログラム領域に書き込まれた音楽プログラムより希望する音楽データの信号を読み取るために、ピックアップと呼ばれる光学部品が使用されている。このピックアップは、送りモータにより光磁気ディスクの回転方向と垂直に光磁気ディスクの内周から外周まで移動できるようになっている。
【０００３】
以下、このような光学式再生装置における従来のアドレスの検知方法について、ＭＤ（ミニディスク）記録再生装置を例に挙げ、図面を参照して説明する。
従来のＭＤ記録再生装置２０は、図３に示すように、主に、記録媒体として光磁気ディスクであるいわゆるミニディスク１、スピンドルモータ２、ピックアップ３、送りモータ４、ドライバ回路５、ＲＦアンプ６、デジタルシグナルプロセッサ（以下、ＤＳＰと称する。）７、システムコントローラ（以下、マイコンと称する。）１８により構成されている。
【０００４】
前記スピンドルモータ２は、ミニディスク１を回転させるためのものである。
前記ピックアップ３は、従来周知のように図示しない半導体レーザ、対物レンズ、該対物レンズのアクチェータ、受光素子及びその他光学部品等を具備している。
【０００５】
前記送りモータ４は、ピックアップ３をミニディスク１の径方向に移動するものである。前記ドライバ回路５は、ピックアップ３のアクチュエータならびにスピンドルモータ２を駆動させるものである。前記ＲＦアンプ６は、ピックアップ３の受光素子に入射した信号を増幅させるものである。前記ＤＳＰ７は、ピックアップ３から得られた信号を復調し、また、その信号に基づいて計算を行い、ドライバ回路５に対して制御用信号を送るものである。前記マイコン１８は、これら回路間の信号のやり取りを制御するものである。
【０００６】
このＭＤ記録再生装置２０でミニディスク１を再生しようとする場合、まず、そのミニディスク１に記録された内容の目次とも言うべきユーザ・テーブル・オブ・コンテンツ（以下、ＵＴＯＣと称する。）を読み取る必要がある。
【０００７】
また、ミニディスク１には、このＵＴＯＣが記録されたいわゆるプログラム領域よりもさらに内側のリードイン領域に、該ミニディスク１にユーザーが記録する際に必要となる情報（以下、ＰＴＯＣと称する。）が書き込まれており、記録可能なミニディスクにおいて、記録を行う場合は、このリードイン領域の情報も読み取らなければならない。
【０００８】
そのため、従来からこの最内周部分のＰＴＯＣが読めるように、かつ、これよりピックアップ３が内側に行かないように、ピックアップ内周位置検出スイッチ（以下、リードインスイッチと称する。）を設け、再生を始める場合は、まずリードインスイッチまでピックアップを移動させ、リードイン領域でアドレスを確認してから必要に応じてＰＴＯＣを読み取るか、または、そこから外周方向のプログラム領域に移動してＵＴＯＣを読み取るようにされている。
【０００９】
ここで、従来のＭＤ記録再生装置２０の動作の一例について、フローチャートに沿って説明する。
ＭＤ記録再生装置２０における初期動作は、図４に示すように、まず、スピンドルモータ２を起動させてミニディスク１を回転させる（Ｓ１０１）。該スピンドルモータ２の回転と同時にフォーカス引き込みを行い、その場でアドレスを読むためにＣＬＶサーボモードに移行する（Ｓ１０２）。
ここで、ＣＬＶサーボモードとは、回転する記録媒体の接線方向の速度（線速度）が一定となるようにした制御である。
【００１０】
そして、ピックアップ３をミニディスクの中心方向に向かいリードインスイッチまで移動し（Ｓ１０３）、アドレスが読めるかどうかが判断される（Ｓ１０４）。
【００１１】
アドレスが読める場合は、装着されたミニディスク１が録音用ディスクかどうか判断される（Ｓ１０６）。
【００１２】
録音用ディスクであると判断された場合は、ピックアップ３をＰＴＯＣが記録されたリードイン領域に移動させてＰＴＯＣを読み取り（Ｓ１０７）、その後、ピックアップ３をＵＴＯＣが記録されたプログラム領域に移動させてＵＴＯＣを読み取る（Ｓ１０８）。
【００１３】
一方、録音ディスクではないと判断された場合は（Ｓ１０６）、そのままピックアップ３をプログラム領域に移動させてＵＴＯＣを読み取る（Ｓ１０８）。
【００１４】
Ｓ１０４でアドレスが読み取り不可の場合は、ディスクの異常を表示パネル（図示省略）等に表明する（Ｓ１０５）。
このようにして、初期動作が行われる。
【００１５】
以上のように、従来のＭＤ記録再生装置２０は構成されているが、リードインスイッチを設けるとコストアップにつながり、また、そのリードインスイッチの取付位置には高精度が要求されるため、ＭＤ記録再生装置のメカニズム組立作業をより煩雑化させるという問題があった。
【００１６】
そこで、ＭＤ記録再生装置にミニディスクの有無を検出するディスク検出手段と、光学ピックアップをミニディスクの所定位置まで移動させるサーチ手段と、ミニディスク上でのピックアップの動作を制御する初期動作制御手段とを設けることで、リードインスイッチを設けることなく初期動作を実施できるようにしたものが提案されている（特許文献１を参照）。
【特許文献１】特開平７−１７６０５７号公報（第１−３頁）
【発明の開示】
【発明が解決しようとする課題】
【００１７】
しかしながら、単にリードインスイッチを廃止しただけでは、ＵＴＯＣの情報もしくはＰＴＯＣの情報を読み取るため、ピックアップを内周に移動させた時に、誤った領域にピックアップが到達した場合に信号を読み取ることができないという問題があった。これは、ＵＴＯＣの情報はグルーブ部に記録され、一方、ＰＴＯＣの情報はピットに記録されていることによるものである。
【００１８】
さらに、振動により、ピックアップがＭＤ記録再生装置の制御を逸脱して、最外周に移動した場合も、この部分は信号が記録されていないミラー部分となっているため、ＭＤ再生装置は信号を読み取ることができないという問題があった。
【００１９】
本発明は、上記従来の問題点に鑑みてなされたものであって、リードインスイッチを廃止しても、適切に所定のプログラム領域やリードイン領域の位置を検出して、所望する信号を確実に読み取れるディスク再生装置を提供することを目的とするものである。
【課題を解決するための手段】
【００２０】
本発明は、記録情報再生方法に係り、記録領域に複数の情報が記録された記録媒体を回転させて、記録情報検出手段により予め設定されたそれぞれの記録領域に対応した回転数で記録情報を検出し、所定の記録領域より所定の記録情報を検出して、該記録情報に対応する電気信号に変換して再生する記録情報再生方法において、前記記録情報検出手段を移動させて、移動した位置の記録領域に対応する記録媒体の回転数を検出し、その検出結果により前記記録情報検出手段が所定の記録領域に位置しているか否かを判別することを特徴とするものである。
ここで、「回転数」とは単位時間当りの記録媒体の回転数を示す。
【００２１】
前記記録情報検出手段が所定の記録領域に位置しているか否かの判別は、検出された記録媒体の回転数の増減により判定することが好ましい。
【００２２】
また、前記記録情報検出手段が所定の記録領域に位置しているか否かの判別は、検出された記録媒体の回転数と所定の記録領域の基準回転数とを比較した結果により判別することが好ましい。
【００２３】
さらに、前記記録領域には、記録媒体に関する情報が記録されたピット信号部を有するリードイン領域と、メイン情報が記録されたグルーブ信号部と、記録された情報の位置に対応するアドレス情報が記録されたウォブル信号部とを有するプログラム領域とが形成されることが好ましい。
【００２４】
また、本発明は、記録情報再生装置に係り、記録領域に複数の情報が記録された記録媒体を回転させる回転手段と、予め設定されたそれぞれの記録領域に対応した回転数で記録情報を検出する記録情報検出手段とを備え、所定の記録領域より所定の記録情報を検出して、該記録情報に対応する電気信号に変換して再生する記録情報再生装置において、前記記録媒体の回転数を検出する記録媒体回転数検出手段と、前記記録媒体回転数検出手段の検出結果により所定の記録領域に前記情報検出手段が位置しているか否かを判別する所定領域位置判別手段とを備えたことを特徴とするものである。
【００２５】
前記所定領域位置判別手段は、前記記録媒体回転数検出手段により検出された記録媒体の回転数の増減により判別することが好ましい。
【００２６】
また、前記所定領域位置判別手段は、前記記録媒体回転数検出手段により検出された記録媒体の回転数と所定の記録領域の基準回転数とを比較した結果により判別することが好ましい。
【００２７】
前記記録領域には、表面に情報が記録されるトラックが形成され、記録媒体に関する情報が記録されたピット信号部を有するリードイン領域と、メイン情報が記録されたグルーブ信号部と前記メイン情報の位置に対応するアドレス情報が記録されたウォブル信号部とを有するプログラム領域とが形成されることが好ましい。
【００２８】
また、前記記録情報再生装置は、前記記録情報検出手段として、記録媒体に照射したビームの戻り光をピット信号、グルーブ信号およびウォブル信号にそれぞれ対応する電気信号に変換して出力するピックアップを備え、さらに、前記ピックアップからのトラッキングエラー信号よりトラックを追従するトラッキング制御手段と、前記トラッキング制御手段によりトラックを飛び越すキック手段と、トラックを追従して記録された情報を再生するサーチ手段とを備えることが好ましい。
【００２９】
さらに、前記記録媒体には、情報が記録されるトラックが形成された記録領域より回転中心方向に向かい内側に情報が記録されていないブランク部が形成され、前記ピックアップが前記ブランク部内へ移動することを制限するピックアップ移動制御手段を備えることが好ましい。
【００３０】
本発明の作用について説明する。
例えば、ＭＤ記録再生装置に本発明を採用した場合、ＭＤ記録再生装置の動作は、まず、記録媒体として光磁気ディスクであるミニディスク（ＭＤ）上に記録情報検出手段としてのピックアップを配置し、動作開始の位置でピックアップが信号を読めるかどうか判断される。
【００３１】
信号が読める場合は、記録領域におけるリードイン領域、すなわちＵＴＯＣの情報が記録された領域までピックアップを移動させ、ＵＴＯＣの読み取り動作を行う。
【００３２】
次に、ピックアップを移動させた後、または、そのままの位置でＭＤ記録再生装置が所定の記録情報の読み取り動作を行う。
【００３３】
ミニディスクの回転数が記録媒体回転数検出手段により検出されて、所定領域位置判別手段により所定の回転数より遅いと判定された場合、つまりアドレス信号の基になるＡＤＩＰと比較して、記録されたＥＦＭ波形の周波数が高い時はリードイン領域にいるものと判断される。この時、ＭＤ記録再生装置はピットの読み取りモードとなって、リードイン領域のピット信号部の情報を読み取ることができる。
【００３４】
一方、ミニディスクの回転数が所定の回転数より速いと判定された場合、つまりＥＦＭのキャリアが存在しないような領域の場合、ピックアップは最外周の情報が記録されていないブランク部、いわゆるミラー部分に位置するものと判断される。
【００３５】
この時、ＭＤ記録再生装置は、ピックアップをミニディスクの内周側に所定量移動させ、その位置でのＡＤＩＰのアドレス信号を読み取り、その後プログラム領域における所望するアドレスに移動することができる。
【発明の効果】
【００３６】
以上、説明したように本発明の記録情報再生方法および記録情報再生装置によれば、リードインスイッチを用いることなく初期動作を実行して、記録領域のＵＴＯＣやＰＴＯＣの読み取りを確実に行うことができる。これにより、取付け位置決めに高い精度が要求されるリードインスイッチやこれに伴う配線等を廃止でき、メカニズム組立作業の簡素化を図ることができるという優れた効果を奏し得る。
【００３７】
詳しくは、本発明の記録情報再生方法によれば、記録情報検出手段を移動させて、移動した位置の記録領域に対応する記録媒体の回転数を検出し、該記録媒体の回転数により、前記記録情報検出手段が所定の記録領域に位置しているか否かを判別することで、記録媒体の回転数に応じて記録情報検出手段の所定位置を判別できるので、リードインスイッチを用いることなく、所望する記録情報のアドレス信号を確実に読み取ることができる。
【００３８】
前記記録情報検出手段が所定の記録領域に位置しているか否かの判別を、検出された記録媒体の回転数の増減により判別することで、記録領域に対応した回転数が予め設定されているので、検出された記録媒体の回転数によって記録情報検出手段の位置を容易に判別できる。
【００３９】
また、前記記録情報検出手段が所定の記録領域に位置しているか否かの判別を、検出された記録媒体の回転数と所定の記録領域の基準回転数とを比較した結果により判別することで、記録領域に対応した回転数が予め設定されているので、検出された記録媒体の回転数に応じて記録情報検出手段の位置を容易に判別できる。
【００４０】
さらに、前記記録領域として、記録媒体に関する情報が記録されたピット信号部を有するリードイン領域と、メイン情報が記録されたグルーブ信号部と記録された情報の位置に対応するアドレス情報が記録されたウォブル信号部とを有するプログラム領域とを形成することで、記録情報検出手段を所定の記録領域に移動し、ディスクに記録された情報をピット信号、グルーブ信号およびウォブル信号とにより判別して所望する記録情報を正確に読み取ることができる。
【００４１】
また、本発明の記録情報再生装置よれば、記録媒体の回転数の増減を検出する記録媒体回転数検出手段と、前記記録媒体回転数検出手段の検出結果により所定の記録領域に前記情報検出手段が位置しているか否かを判別する所定領域位置判別手段とを備えたことで、記録媒体の回転数に応じて記録情報検出手段の所定位置を判別できるので、リードインスイッチを用いることなく、所望する記録情報のアドレス信号を確実に読み取ることができる。
【００４２】
前記所定領域位置判別手段を、前記記録媒体回転数検出手段により検出された記録媒体の回転数の増減により判別するようにしたことで、記録領域に対応した回転数が予め設定されているので、検出された記録媒体の回転数によって記録情報検出手段の位置を容易に判別できる。
【００４３】
また、前記所定領域位置判別手段を、前記記録媒体回転数検出手段により検出された記録媒体の回転数と所定の記録領域の基準回転数とを比較した結果により判別するようにしたことで、記録領域に対応した回転数が予め設定されているので、検出された記録媒体の回転数によって記録情報検出手段の位置を容易に判別できる。
【００４４】
さらに、前記記録領域として、表面に情報が記録されるトラックが形成され、記録媒体に関する情報が記録されたピット信号部を有するリードイン領域と、メイン情報が記録されたグルーブ信号部と前記メイン情報の位置に対応するアドレス情報が記録されたウォブル信号部とを有するプログラム領域とを形成することで、ディスクに記録された情報をピット信号、グルーブ信号およびウォブル信号とにより判別して所定の記録領域において所望する記録情報を正確に読み取ることができる。
【００４５】
また、前記記録情報再生装置に、前記記録情報検出手段として、記録媒体に照射したビームの戻り光をピット信号、グルーブ信号およびウォブル信号にそれぞれ対応する電気信号に変換して出力するピックアップを備えることで、所望する記録情報を確実に判別でき、さらに、前記ピックアップからのトラッキングエラー信号よりトラックを追従するトラッキング制御手段と、前記トラッキング制御手段によりトラックを飛び越すキック手段と、トラックを追従して記録された情報を再生するサーチ手段とを備えることで、短時間で所望する記録情報を読み取ることができる。
【００４６】
さらに、また、前記記録媒体に、情報が記録されるトラックが形成された記録領域より回転中心方向に向かい内側に情報が記録されないブランク部を形成し、前記ピックアップが前記ブランク部内へ移動することを制限するピックアップ移動制御手段を備えることで、ピックアップが記録媒体のブランク部に達することがないため、記録情報検出手段たるピックアップの位置検出を確実に行うことができる。
【発明を実施するための最良の形態】
【００４７】
以下、本発明の実施の形態について図面を参照して詳細に説明する。
図１、図２は本発明を実施する形態の一例であって、図１は本発明の実施形態に係るディスク再生装置たるＭＤ記録再生装置の構成を示すブロック図、図２は前記ＭＤ記録再生装置の初期動作のフローチャートである。
図中、同一の符号を付した部分は同一物を表わしており、基本的な構成は図に示す従来のものと同様である。
【００４８】
本実施形態に係る記録情報再生装置たるＭＤ記録再生装置１０は、図１に示すように、主に、記録媒体として光磁気ディスクの一種であるいわゆるミニディスク１、記録媒体の回転手段としてスピンドルモータ２、記録情報検出手段としてピックアップ３、送りモータ４、ドライバ回路５、ＲＦアンプ６、デジタルシグナルプロセッサ（以下、ＤＳＰと称する。）７、システムコントローラ（以下、マイコンと称する。）８とを備え、所定の記録領域より所定の記録情報を検出して、該記録情報に対応する電気信号に変換して再生するＭＤ記録再生装置において、ミニディスク１の回転数を検出するディスク回転数検出手段（記録媒体回転数検出手段）８ｄと、前記ディスク回転数検出手段８ｄの検出結果により所定の記録領域にピックアップ３が位置しているか否かを判別する所定領域位置判別手段８ｅとを備えたものである。
【００４９】
前記ミニディスク１には、記録領域として表面に情報が記録されるトラック（図示省略）が形成され、記録媒体に関する情報が記録されたピット信号部が形成されたリードイン領域と、メイン情報が記録されたグルーブ信号部と前記メイン情報の位置に対応するアドレス情報が記録されたウォブル信号部とが形成されたプログラム領域が構成され、さらに、該記録領域より回転中心方向に向かい内側、すなわち前記リードイン領域の内側に情報が記録されていないブランク部、いわゆるミラー領域が形成されている。また、外周部にも同様にミラー領域が形成されている。
【００５０】
すなわち、前記ピット信号部は、情報が記録されるトラックの最内周部に形成されている。
前記グルーブ信号部は、前記ピット信号部より外周側のトラックに形成されている。
前記ウォブル信号部は、前記グルーブ信号部のトラックの側部に形成されている。
【００５１】
前記スピンドルモータ２は、ミニディスク１を回転させるためのものである。
前記ピックアップ３は、従来周知のように図示しない半導体レーザ、対物レンズ、該対物レンズのアクチェータ、受光素子及びその他光学部品等を具備し、ミニディスク１に照射したビームの戻り光をピット信号、グルーブ信号およびウォブル信号にそれぞれ対応する電気信号に変換して出力するものである。
前記送りモータ４は、ピックアップ３をミニディスク１の径方向に沿って移動するものである。
【００５２】
前記ドライバ回路５は、ピックアップ３のアクチュエータ（図示省略）ならびにスピンドルモータ２を駆動させるものである。
前記ＲＦアンプ６は、ピックアップ３の受光素子に入射した信号を増幅させるものである。
前記ＤＳＰ７は、ピックアップ３から得られた信号を復調し、また、その信号に基づいて計算を行い、ドライバ回路５に対して制御用信号を送るものである。
前記マイコン８は、これら回路間の信号のやり取りを制御するものである。
【００５３】
このマイコン８には、ピックアップ３からのトラッキングエラー信号よりトラックを追従するトラッキング制御手段８ａと、トラックを複数本飛び越して、飛び越した位置から前記トラッキング制御手段８ａによってミニディスク１のトラックを追従して該ミニディスク１に記録された情報を再生するキック手段８ｂ及びサーチ手段８ｃと、前述したディスク回転数検出手段８ｄおよび所定領域位置判別手段８ｅとが具備されている。
【００５４】
前記マイコン８は、前記ディスク回転数検出手段８ｄによりミニディスク１の回転数を検出し、該ミニディスク１の回転数が増減したかどうかで、所定領域位置判別手段８ｅにより所定の領域にピックアップ３が位置しているか否かを判別するようにされている。
【００５５】
次に、本実施形態のＭＤ記録再生装置１０における電源投入に伴う初期動作について、フローチャートに沿って説明する。
ＭＤ記録再生装置１０における初期動作は、図２に示すように、まず、スピンドルモータ２を起動させてミニディスク１を回転させる（Ｓ１）。
【００５６】
そして、スピンドルモータ２の回転と同時にフォーカス引き込みを行い、その場でアドレスを読むためにＣＬＶサーボモードに移行する（Ｓ２）。
そして、ミニディスク１と対向して配置されたピックアップ３によりアドレスが読めるかどうかが判断される（Ｓ３）。
【００５７】
アドレスが読み取り可能な場合は、アドレスの位置よりピックアップ３の移動すべき量を計算し、Ｓ１０に進みＰＴＯＣもしくはＵＴＯＣの読み取りを行う。
【００５８】
一方、Ｓ３においてアドレスが読み取り不可能な場合は、ディスク回転数検出手段８ｄにより検出されたミニディスク１の回転数に応じて異なった処理が行われる（Ｓ４）。
【００５９】
まず、Ｓ４において、ミニディスク１の回転数が、アドレスが読み取れる範囲で定められた回転数の範囲（以下、本実施形態においては「基準速度範囲」と称する。）よりも遅い場合は、ＣＬＶサーボモードにおいて、ＥＦＭ波形がＡＤＩＰに比べて高い状態になるので、所定領域位置判別手段８ｅによりピックアップ３が記録領域のピット信号部にいるものと判定され（Ｓ５）、再びＳ３に戻り、アドレスの読み取りが行われる。
【００６０】
Ｓ５において、ピックアップ３がリードイン領域のピット信号部にいると判定されると、ミニディスク１は、ピット信号部に対応した回転数に調整される。そして、Ｓ３においてアドレスが読み取り可能な場合、Ｓ１０に進む。
【００６１】
一方、Ｓ４において、ミニディスク１の回転数が基準速度範囲よりも速い場合は、ＥＦＭ波形が検出されないため、所定領域位置判別手段８ｅによりピックアップ３が外周部のミラー領域にいるものと判定され、内周側に所定量移動され（Ｓ６）、再びＳ３に戻り、アドレスの読み取りが行われる。
【００６２】
Ｓ６において、ピックアップ３が外周部のミラー領域にいるものと判定されると、ミニディスク１は、ピット信号部に対応した回転数に調整される。そして、Ｓ３戻り、アドレスが読み取り可能な場合は、Ｓ１０に進みＰＴＯＣもしくはＵＴＯＣの情報を読み取る。
【００６３】
また、Ｓ４において、ミニディスク１の回転数が基準速度範囲内であった場合は、所定領域位置判別手段８ｅによりピックアップ３がピット信号部にいるものと判定され、同じ場所で再試行されて（Ｓ７）、アドレスが読み込み可能かどうかが判断される（Ｓ８）。
Ｓ８でアドレスが読み取り不可の場合は、ディスクの異常を表示パネル（図示省略）等に表明される（Ｓ９）。
【００６４】
一方、アドレスが読み取り可能な場合は、Ｓ１０に進み装着されたミニディスク１が録音用ディスクかどうか判断される。
【００６５】
Ｓ１０において、録音用ディスクであると判断された場合は、ピックアップ３をＰＴＯＣ領域に移動させてＰＴＯＣを読み取り（Ｓ１１）、その後、ピックアップ３をＵＴＯＣ領域に移動させてＵＴＯＣを読み取る（Ｓ１２）。
【００６６】
一方、録音ディスクではないと判断された場合は、そのままピックアップ３をＵＴＯＣ領域に移動させてＵＴＯＣを読み取る（Ｓ１２）。
この時のピックアップ３の移動、検出の動作は、キック手段８ｂおよびサーチ手段８ｃにより行われる。
【００６７】
以上は、初期動作における位置検出の手順を示したものであるが、これらのディスク回転数検出手段８ｄおよび所定領域位置判別手段８ｅの検出手段と、キック手段８ｂおよびサーチ手段８ｃによれば、例えば、振動により突然ピックアップ３が制御不能となった場合や、ミニディスク１の外周部や内周部のブランク部（ミラー領域）に移動してその部分でアドレスが検知できない場合に、前述のディスク回転数検出手段８ｄおよび所定領域位置判別手段８ｅにより、即時にアドレスを読み取れる領域に容易に復帰することが可能となる。
【００６８】
このように、本実施形態のＭＤ記録再生装置１０によれば、ディスク回転数検出手段８ｄと所定領域位置判別手段８ｅによりミニディスク１の回転数に応じてピックアップ３が置かれている位置を判定できるので、従来具備されていたリードインスイッチを廃止しても適切にピックアップ３の位置検出を行うことができる。
【００６９】
尚、本実施形態では、ＭＤ記録再生装置を例にとって説明したが、本発明は、ＭＤ記録再生装置に用いられるミニディスクに限定されるものではなく、リードイン領域、プログラム領域などの記録領域を有する記録媒体であれば、本発明による記録情報再生方法および記録情報再生装置を用いることで、所望の記録情報を確実に読み取ることができる。
【００７０】
また、本実施形態では、所定領域位置判別手段として、ミニディスク１の回転数の増減により記録領域を判別するようにしているが、変形例として、所定領域位置判別手段として、検出された記録媒体の回転数と所定の記録領域の基準回転数とを比較した結果により判別するようにしたものであっても良い。装置構成は、上述した本実施形態と同様な構成により実現が可能である。
【図面の簡単な説明】
【００７１】
【図１】本発明の実施形態に係るディスク再生装置たるＭＤ記録再生装置の構成を示すブロック図である。
【図２】前記ディスク再生装置の初期動作のフローチャートである。
【図３】従来のＭＤ記録再生装置の構成を示すブロック図である。
【図４】従来のＭＤ記録再生装置の初期動作のフローチャートである。
【符号の説明】
【００７２】
１  ミニディスク
２  スピンドルモータ
３  ピックアップ
４  送りモータ
５  ドライバ回路
６  ＲＦアンプ
７  ＤＳＰ
８  マイコン
８ａ  トラッキング制御手段
８ｂ  キック手段
８ｃ  サーチ手段
８ｄ  ディスク回転数検出手段
８ｅ  所定領域位置判別手段
１０  ＭＤ記録再生装置
【図１】
2005166143.tif 000003
【図２】
2005166143.tif 000004
【図３】
2005166143.tif 000005
【図４】
2005166143.tif 000006